(57)【要約】      （修正有）【課題】マンホールへの物品や人の転落防止の高い効果を得ることが可能でありながら、損傷等を理由として、それを支持する部材と共に交換することが必要になった場合にはその経済的損失を最小限に抑え得る転落防止装置を提供する。【解決手段】マンホールの最上部の調整リング１の内側に固設する一対のブラケット２、２と、ブラケット２、２の連結板２ｂに、両側の側板３、３の基部を、そのピン用長孔３ｐｈ及びヒンジピン４を介して起伏自在に配してなるガード部材５とを備える。さらに、ガード部材５を構成する両側板３、３、これに直交状態に配した複数の横桟７、７…及び側板３、３の両外側に配した補助ガード部材８、８と、調整リング１の内側のブラケット２、２に対向する位置に固設した先端支持部６であって、ガード部材５の最前部の横桟７を弾力的に嵌合する屈曲係合部６ｋ、６ｋを備えた先端支持部６と、で構成したものである。【選択図】図１
0003180166.tif 000002
【実用新案登録請求の範囲】
【請求項１】
マンホールの最上部を構成する調整リングの内側に固設する一対のブラケットと、
前記ブラケットに、両側の側板の基部を、各々該側板の長さ方向に沿って形成したピン用長孔に貫通させたヒンジピンを介して、起伏自在に配したガード部材であって、該両側板間を繋ぐ複数の横桟及び該両側板の各々の外側に配した補助ガード部材を備えたガード部材と、
前記調整リングの内側の、前記一対のブラケットに対向する位置に固設した前記ガード部材の先端を支持する先端支持部と、
で構成したマンホールの転落防止装置。
【請求項２】
前記ピン用長孔を、ガード部材の側板の基部に、倒伏状態における該側板の下辺側に近接して延長開口した主長孔と、その後端を上方に向かって屈曲延長して開口した副孔とで構成した請求項１のマンホールの転落防止装置。
【請求項３】
前記補助ガード部材を、両脚部の基部に前記側板の厚さを越える間隔の二枚の鍔状係止部を備えたＵ字状部材に構成し、該側板の前記ピン用長孔より前部側に、該側板の幅方向中央部に沿って延長開口した主孔と、該側板の長さ方向中央部を中心として前記補助ガード部材を構成するＵ字状部材のＵ字幅に一致する二つの位置で下方に延長開口した副孔とからなる補助ガード部材用長孔を構成し、前記補助ガード部材を構成するＵ字状部材の両脚部の基部を該補助ガード部材用長孔にスライド移動自在に挿入し、かつ前記二枚の鍔状係止部のうちの一方を該側板の外側に、他方を内側に、それぞれ位置させて該両脚部の基部の該補助ガード部材用長孔へのスライド移動自在な挿入状態を確保するようにした請求項２のマンホールの転落防止装置。
【請求項４】
前記先端支持部を、両脚部の基部を前記調整リングに固設する、弾性部材で構成したＵ字状部材であって、両脚部の前部近傍に、前記ガード部材の最先端の横桟を嵌合可能とすべく部分円弧状の屈曲係合部を構成したＵ字状部材に構成した請求項１、２又は３のマンホールの転落防止装置。
【請求項５】
前記ガード部材を構成する両側板、全横桟及び両補助ガード部材に樹脂被膜を施した請求項１、２、３又は４のマンホールの転落防止装置。
【考案の詳細な説明】
【技術分野】
【０００１】
本考案は、マンホールの調整リングに起伏自在に取り付けておき、地下の設備の点検や修理等の必要から鉄蓋を取り外してマンホールの上部を開口した際に、作業者の出入り時以外はこれを倒伏状態にしておき該開口部からの人や物の転落を防止し、かつ作業者のマンホールへの出入りの際には、起立状態にして梯子の最上部として利用することもできるマンホールの転落防止装置に関するものである。
【背景技術】
【０００２】
特許文献１は、この種の技術の提案例であり、マンホールの梯子兼用転落防止装置に関する。これは、鉄蓋の枠体に配した水平方向の支軸の軸回りに起立及び倒伏回動可能で当該支軸と平行な横桟を備えた格子状の内蓋と、前記支軸の軸方向に相対移動して起立状態の内蓋と係合する横向き溝を備えた保持ブラケットと、前記内蓋と前記保持ブラケットとを係合させる方向に横向きに付勢する付勢手段と、係合している横向き溝と内蓋との離脱方向の移動を阻止するロック部材とを備えたものである。また前記保持ブラケットは、倒伏状態の内蓋と係合する第２の横向き溝を備え、倒伏状態の内蓋の上面に該内蓋の横桟の間隔より狭い間隔の格子板乃至網を備えたものであることもある。
【０００３】
従って特許文献１のマンホールの梯子兼用転落防止装置によれば、これを起立させ、保持ブラケットで内蓋を係合固定させれば、該内蓋の横桟を、マンホールの梯子の最上部として用いてマンホールへの出入りの際に有効に使用可能であり、内蓋と保持ブラケットとの係合を解除して該内蓋を倒伏させれば、マンホール内への人や物の落下を防止することができる。特に内蓋の上面に横桟の間隔より狭い間隔の格子板乃至網を配した場合は、より小さな物品の落下も防止することができる。
【０００４】
しかしこの特許文献１のマンホールの梯子兼用転落防止装置は、これを、マンホールの開口部を閉じる鉄蓋を設置するための枠体に取り付けるものであり、その一部又は全部に損傷が生じた場合に、これを交換しようとすると、高価な枠体の交換が必要になる可能性がある。
【０００５】
特許文献２は、中蓋を備えたマンホール蓋受枠に関するものであり、マンホール蓋を保持する受枠が転落防止用の中蓋を備えたものにおいて、前記中蓋を格子状に形成し、該格子の両端両側にそれぞれ下方及び斜め上方に伸びる分岐突起を形成し、受枠内周に対向して取り付けたステップの両端に形成した貫通孔に前記分岐突起のいずれかを挿通するようにしたものである。また前記分岐突起の一方の先端部にストッパ挿通孔を穿設し、該挿通孔にストッパを挿通することにより前記格子状の中蓋を開放状態に係止可能としたものでもある。
【０００６】
従って特許文献２の中蓋を備えたマンホール蓋受枠によれば、マンホール蓋を受枠から外してもその下に中蓋が配してあるので、人や物は、該中蓋で受け止められ、マンホール内に落下する虞はない。また作業者がマンホール内に入る場合には、その中蓋を外し、ステップの貫通孔に差し込む分岐突起を取り替えれば、中蓋はマンホール上部に斜めに立ち上がった状態になり、これを上部の手摺り及びステップとして利用して安全にマンホール内に入ることができる。その後、元通りに中蓋を配することにすれば、人の入っているマンホールに物や人が落下するのを防止することもできる。マンホールから作業者が出る場合には、中蓋を外せばよいのは云うまでもない。
【０００７】
他方、この特許文献２の中蓋を備えたマンホール蓋受枠は、文字通り、マンホール蓋受枠に中蓋を配した構成のものであり、中蓋又はこれを受枠に取り付ける構成要素の全部又は一部に損傷が生じた場合に、これらを交換しようとすると、高価な受枠の交換が必要になる可能性がある。
【先行技術文献】
【特許文献】
【０００８】
【特許文献１】特許第４５１６６７２号公報
【特許文献２】特許第２６７０９９４号公報
【考案の概要】
【考案が解決しようとする課題】
【０００９】
本考案は、それ自体の全部又は一部に損傷が生じ、その交換がそれを支持する部材と共に必要になった場合に、その経済的な損失を最小限ととすべく、それ自体を鉄蓋の受枠とは異なり、上記のような交換を必要とする場合に、それを経済的に実現することが可能な部位に設置しながらも、該受枠に取り付けた場合と同等以上に、マンホールへの物品や人の転落防止の高い効果を得ることが可能であるマンホールの転落防止装置を提供することを解決の課題とする。
【課題を解決するための手段】
【００１０】
本考案の１は、マンホールの最上部を構成する調整リングの内側に固設する一対のブラケットと、
前記ブラケットに、両側の側板の基部を、各々該側板の長さ方向に沿って形成したピン用長孔に貫通させたヒンジピンを介して、起伏自在に配したガード部材であって、該両側板間を繋ぐ複数の横桟及び該両側板の各々の外側に配した補助ガード部材を備えたガード部材と、
前記調整リングの内側の、前記一対のブラケットに対向する位置に固設した前記ガード部材の先端を支持する先端支持部と、
で構成したマンホールの転落防止装置である。
【００１１】
本考案の２は、本考案の１のマンホールの転落防止装置において、
前記ピン用長孔を、ガード部材の側板の基部に、倒伏状態における該側板の下辺側に近接して延長開口した主長孔と、その後端を上方に向かって屈曲延長して開口した副孔とで構成したものである。
【００１２】
本考案の３は、本考案の２のマンホールの転落防止装置において、
前記補助ガード部材を、両脚部の基部に前記側板の厚さを越える間隔の二枚の鍔状係止部を備えたＵ字状部材に構成し、該側板の前記ピン用長孔より前部側に、該側板の幅方向中央部に沿って延長開口した主孔と、該側板の長さ方向中央部を中心として前記補助ガード部材を構成するＵ字状部材のＵ字幅に一致する二つの位置で下方に延長開口した副孔とからなる補助ガード部材用長孔を構成し、前記補助ガード部材を構成するＵ字状部材の両脚部の基部を該補助ガード部材用長孔にスライド移動自在に挿入し、かつ前記二枚の鍔状係止部のうちの一方を該側板の外側に、他方を内側に、それぞれ位置させて該両脚部の基部の該補助ガード部材用長孔へのスライド移動自在な挿入状態を確保するようにしたものである。
【００１３】
本考案の４は、本考案の１、２又は３のマンホールの転落防止装置において、
前記先端支持部を、両脚部の基部を前記調整リングに固設する、弾性部材で構成したＵ字状部材であって、両脚部の前部近傍に、前記ガード部材の最先端の横桟を嵌合可能とすべく部分円弧状の屈曲係合部を構成したＵ字状部材に構成したものである。
【００１４】
本考案の５は、本考案の１、２、３又は４のマンホールの転落防止装置において、
前記ガード部材を構成する両側板、全横桟及び両補助ガード部材に樹脂被膜を施したものである。
【考案の効果】
【００１５】
本考案の１のマンホールの転落防止装置によれば、マンホール内に作業者が入ろうとする場合は、マンホール最上部の鉄蓋を外し、かつこれを支持していた受枠の直下の調整リングに取り付けてあるガード部材を前記ヒンジピンを回転中心として回転起立させれば良い。ガード部材をこのように起立させると、該ヒンジピンは側板の基部にその長さ方向に沿って開口してあるピン用長孔に貫通させてあるものであるから、該ガード部材は、該ヒンジピンが該ピン用長孔の上端に係止することになるまでその自重で下降することになる。そして該ガード部材は、該両側板の基部側がブラケットの取付手段側又は調整リングの内周に当接することになるため、該ヒンジピンを中心とする逆回転は不可能になり、該ガード部材を、最上部の梯子として利用して、マンホールへの下降進入に安全に利用することができることになる。
【００１６】
作業者がマンホールに入った後は、先ず該ガード部材を引き上げれば、その基部が調整リングの内周等に当接することは無くなり、逆回転倒伏動作が可能になるので、そのように逆回転倒伏させ、その先端側の部位を前記先端支持部で支持させる。こうして該ガード部材で更にその上方から種々の物品や人が転落するのを防止することができることになる。これによってマンホールの外部周囲の安全及びマンホール内の作業者の安全を確保することができる。
【００１７】
作業終了後は、再度、前記ガード部材を、その先端側を前記先端支持部から外して起立させれば、マンホール内の作業者は、マンホール内壁に配したステップ及び該ガード部材を利用して安全にマンホールから外部に出ることができる。
【００１８】
また本考案のマンホールの転落防止装置によれば、これをマンホールの最上部の調整リングに取り付けるものであるため、以上のように、鉄蓋用の受枠に取り付けた場合と同様に、優れた転落防止効果及びマンホールへの作業者の出入りの際の梯子としての有用性を確保することが可能であり、かつ同時に、その全部又は一部に損傷が生じた場合には、既存の例のように鉄蓋用の受枠と共に交換する場合と異なり、調整リングと共に交換するものであるため、遙かに経済的な交換を行うことが可能である。
【００１９】
本考案の２のマンホールの転落防止装置によれば、ガード部材を引き上げ、前記ヒンジピンを前記ピン用長孔の主長孔の後端に位置させた上で、該ガード部材を倒伏状態に回動動作させると、該ガード部材はその自重により下降し、該ヒンジピンは自ずと前記副孔の最上部に位置することとなる。その結果、該ガード部材は、更にその先端側が下降する回動を継続しようとしても、その基部後端の下部側が前記ブラケットの取付手段側又は前記調整リングの内周に当接し、その回動が阻止されることになる。前記のように、該ガード部材はその先端側が前記先端支持部で支持されることになるが、後端でも、以上のようにしてそれ以上に先端側が下降することとなる回動動作が阻止されることになる。転落防止の効果がより一層確実になるものである。
【００２０】
本考案の３のマンホールの転落防止装置によれば、前記ガード部材を倒伏状態にした場合には、前記補助ガード部材を、その両脚部を前記副孔に挿入係止状態にすることにより、平面視で、マンホールの両側中央に位置させ、該ガード部材の両側板及び横桟による転落防止効果と相まってより効果的な転落防止効果を得ることができるようなる。またガード部材を起立させた場合には、該補助ガード部材は、これを前記補助ガード部材用長孔の主孔中を動かして適切な位置に位置させて使用することができる。
【００２１】
本考案の４のマンホールの転落防止装置によれば、倒伏状態にあるガード部材はその最先端の横桟が先端支持部であるＵ字状部材の両脚部に構成した部分円弧状の屈曲係合部に嵌合状態になるので、台風や大雨等の悪天候で、いずれかから浸入した高圧力の大量の水が噴出し、最上部の鉄蓋が外れてしまったような場合にも、これが容易に脱落して起立状態になるようなことがなく、人や物のマンホール中への転落を継続的に防止することができる。
【００２２】
本考案の５のマンホールの転落防止装置によれば、前記ガード部材の各構成部位に樹脂被膜を施したので、この上に人や物品が落下した場合に、それらの人や物品に損傷を生じ難くすることができる。
【図面の簡単な説明】
【００２３】
【図１】(a)はマンホールの調整リングに取り付けた一実施例のマンホールの転落防止装置の平面図、(b)は(a)の中央部横断面図、(c)は(b)の先端支持部付近の拡大図。
【図２】(a)はガード部材を起立させた状態の一実施例のマンホールの転落防止装置の側面説明図（調整リングのみ断面）、(b)は(a)の先端支持部付近の拡大図、(c)は(a)のガード部材付近の拡大図。
【図３】(a)は一実施例のマンホールの転落防止装置のガード部材及びブラケットの斜視図、(b)はガード部材の側板の基部付近とブラケットとの分離状態の斜視図。
【図４】(a)は一実施例のマンホールの転落防止装置の起立状態のガード部材及びブラケットの斜視図、(b)はガード部材の起立時の側板の基部付近とブラケットとの分離状態の斜視図。
【図５】(a)はマンホールに設置しガード部材を起立させた状態のマンホールの転落防止装置の説明図（マンホールのみ断面、受枠及び鉄蓋は省略）、(b)はガード部材を倒伏させた状態のマンホールの転落防止装置の説明図（マンホールのみ断面、受枠及び鉄蓋は省略）。
【考案を実施するための形態】
【００２４】
本考案を実施するための形態を実施例に基づき図面を参照しながら詳細に説明する。
【００２５】
この実施例のマンホールの転落防止装置は、図１〜図５に示すように、基本的に、マンホールＭの最上部を構成する調整リング１の内側に固設する一対のブラケット２、２と、該ブラケット２、２に、両側の側板３、３の基部をヒンジピン４、４を介して起伏自在に配したガード部材５と、前記調整リング１の内側の、前記一対のブラケット２、２に対向する位置に固設した先端支持部６と、で構成したものである。
【００２６】
前記調整リング１は、前記し、図５(a)、(b)に示すように、マンホールＭの最上部を構成するコンクリート製の部材であり、図１(a)に示すように、平面視で円環状の部材である。この調整リング１上に配する鉄蓋を設置するための受枠より安価に製造できる部材でもある。前記のように、本考案のマンホールの転落防止装置は、この調整リング１の内側に構成するものである。
【００２７】
前記ブラケット２、２は、図１(a)、図３(a)、(b)及び図４(a)、(b)に示すように、前記調整リング１の内周の曲率に一致する曲率の、平面視で部分円弧状の帯板に構成した取付板２ａと、その内側中央から突出させた連結板２ｂとで一体に構成した金属部材（この実施例ではステンレススチールで構成した）である。該連結板２ｂの上下方向中央部には前記ヒンジピン４の貫通用のピン孔２ｂｈが開口してあり、前記取付板２ａの左右両側の中央部にはそれぞれビス孔２ａｈが開口してある。
【００２８】
これらのブラケット２、２は、図１(a)に示すように、前記調整リング１の内側に、前記ガード部材５の両側板３、３の間隔に対応する間隔で設置する。より詳細には、ブラケット２、２は、それらの連結板２ｂ、２ｂが、該ガード部材５の両側板３、３の外面側にそれぞれ当接する位置関係となる間隔で配置する。該ブラケット２、２の該調整リング１の内周への固設は、同図に示すように、それぞれの取付板２ａの外面を該調整リング１の内周に当接し、前記ビス孔２ａｈ、２ａｈからコンクリートビスｂ、ｂを挿入し、予め該調整リング１の対応する部位に開口しておいた下孔にねじ込み固定して行うものである。
【００２９】
前記側板３、３は、横桟７、７…及び補助ガード部材８、８とともに、前記ガード部材５の一部を構成する部材であり、図１(a)、図３(a)及び図４(a)に示すように、平行に配した相互に同寸法の帯状の金属板材（この実施例ではステンレススチールを用いた、横桟７、…及び補助ガード部材８、８も同じ）で構成したものである。これらの側板３、３には、それぞれピン用長孔３ｐｈ及び補助ガード部材用長孔３ｇｈを開口する。
【００３０】
前記ピン用長孔３ｐｈは、図３(a)、(b)及び図４(a)、(b)に示すように、側板３、３の基部に開口形成する主長孔３ｐｈｍ及び副孔３ｐｈｓで構成したものである。同図に示すように、該主長孔３ｐｈｍは、ガード部材５の倒伏状態で該側板３、３の下辺となる辺に近接して延長開口し、該副孔３ｐｈｓは、該主長孔３ｐｈｍの後端から上方に向かって延長開口して形成したものであり、該副孔３ｐｈｓの最上部の中心は概ね側板３の幅方向中央となるようにする。
【００３１】
前記補助ガード部材用長孔３ｇｈは、図３(a)、(b)及び図４(a)、(b)に示すように、前記側板３、３の前記ピン用長孔３ｐｈより前方側に開口形成する主孔３ｇｈｍ及び副孔３ｇｈｓで構成したものである。同図に示すように、該主孔３ｇｈｍは、ガード部材５の倒伏状態で該側板３、３の高さ方向中央部（幅方向中央部）に沿って延長開口し、該副孔３ｇｈｓは、該側板３、３の長さ方向中央部を中心として、詳しくは後述する補助ガード部材８の中心をこれに一致させた状態で、そのＵ字幅に一致する二つの位置で下方に延長開口するものである。
【００３２】
前記ヒンジピン４は、この実施例では、ステンレス製のボルト部材をそれとして採用したものであり、図３(a)及び図４(a)に示すように、前記ガード部材５の両側板３、３の基部の外面側を、前記ブラケット２、２の連結板２ｂ、２ｂの内面側に当接させ、該連結板２ｂ、２ｂのピン孔２ｂｈ、２ｂｈからヒンジピン４、４をそれぞれ挿入し、更に内側に当接した側板３、３に形成したピン用長孔３ｐｈ、３ｐｈを貫通させ、該ヒンジピン４、４の反対側に二つのナット部材（ステンレス製）を螺合し、その内側のナット部材を僅かに緩みを持った状態まで締め付け調整し、外側のナット部材をロックナットとして用いて内側のナット部材をその位置に固定する。こうして前記ガード部材５は、前記ブラケット２、２に起伏自在に取り付けられることになる。なお、前記し、図１(a)、(b)に示すように、該ブラケット２、２は、前記調整リング１の内周の前記所定の位置に前記の間隔で固定してあるものである。
【００３３】
前記ガード部材５は、既に述べ、図１(a)、図３(a)及び図４(a)に示すように、平行な二枚の側板３、３と、これらに両端で連結する、これらに直交する向きの４本の横桟７、７…と、各側板３、３の外側に該側板３、３に形成された前記補助ガード部材用長孔３ｇｈ、３ｇｈを介して係止した補助ガード部材８、８とで構成したものである。
【００３４】
該補助ガード部材８、８は、図１(a)、図３(a)及び図４(a)に示すように、両脚部８ｌ、８ｌの基部に鍔状係止部８ｋ、８ｋを備えたＵ字状部材に構成し、両脚部８ｌ、８ｌの基部を側板３、３の前記補助ガード部材用長孔３ｇｈ、３ｇｈにスライド移動自在に挿入したものである。前記鍔状係止部８ｋ、８ｋは、図１(a)に示すように、補助ガード部材８、８の両脚部８ｌ、８ｌの基部末端と、基部末端から前記側板３、３の厚さを僅かに越える寸法だけ内側の部位とに各々配したものであり、基部末端のそれは、該両脚部８ｌ、８ｌを該補助ガード部材用長孔３ｇｈ、３ｇｈに挿入した後に、溶接等によって固設するものである。
【００３５】
前記先端支持部６は、前記し、図１(a)〜(c)、図２(a)、(b)及び図５(a)に示すように、前記調整リング１の内側の前記一対のブラケット２、２に対向する位置に固設した弾性金属部材（この実施例では弾性のステンレススチールで構成した）である。前記先端支持部６は、詳細には、特に図１(a)に示すように、両脚部６ｌ、６ｌの基部を前記調整リング１の内周に固設するＵ字状部材である。該両脚部６ｌ、６ｌには、特に図１(b)、(c)及び図２(a)、(b)に示すように、その前部の横棒部６ｒの近傍に、前記ガード部材５の最先端の横桟７を嵌合可能とすべく部分円弧状に屈曲して構成した屈曲係合部６ｋ、６ｋを配してある。
【００３６】
以上の各部材にうち、前記ガード部材５の両側板３、３、全横桟７、７…及び両補助ガード部材８、８には樹脂被膜を施してある。
【００３７】
従ってこの実施例のマンホールの転落防止装置は、マンホールＭの最上部を構成する調整リング１に、前記したように、この装置を取り付け、特に図５(a)、(b)に示すように、該調整リング１を、前記ブラケット２、２が、マンホールＭのそれより下方の内周に固設してあるステップｓ、ｓ…と上下対応する位置関係になるように、周方向の位置関係を調整しておく。
【００３８】
このようにこの実施例のマンホールの転落防止装置をマンホールＭにセットすると、以下のように有用に作用し、優れた効果を発揮するとができる。
【００３９】
マンホールＭ内に作業者が入ろうとする場合は、そのマンホールＭの最上部の図示しない鉄蓋を外し、かつこれを支持していた図示しない受枠の直下の前記調整リング１に取り付けてあるガード部材５を前記ヒンジピン４を回転中心として回転起立させれば良い。
【００４０】
なお、マンホールＭの鉄蓋を取り外した段階では、図１(a)、(b)及び図５(b)に示すように、前記ガード部材５は、倒伏状態で、その最先端の横桟７が先端支持部６の両脚部６ｌ、６ｌに構成した屈曲係合部６ｋ、６ｋに係合固定状態となっている。
【００４１】
前記ガード部材５は、例えば、前記最先端の横桟７を掴んで強く引き上げると、該横桟７は、該屈曲係合部６ｋ、６ｋを構成する部分円弧状の部分に弾力的に嵌合しているものであるので、その部分円弧状の部分を開かせて外すことが可能である。この後は、そのまま単に該ガード部材５の先端側を回動状態に引き上げるのみで、その起立操作を行うことができる。
【００４２】
ガード部材５をこのようにして起立させると、該ヒンジピン４は側板３、３の基部に開口してあるピン用長孔３ｐｈに貫通させてあり、該ガード部材５の倒伏状態では、図１(b)及び図３(a)に示すように、該ピン用長孔３ｐｈの副孔３ｐｈｓに挿入状態となっているので、該ガード部材５は、図２(a)、(c)、図４(a)及び図５(a)に示すように、該ヒンジピン４が該ピン用長孔３ｐｈの主長孔３ｐｈｍの上端に係止することになるまでその自重で下降することになる。
【００４３】
そして、その結果、該ガード部材５は、これを該ヒンジピン４、４を中心とする逆回転をさせようとすると、該両側板３、３の基部の後部側が前記ブラケット２の取付板２ａ又は前記調整リング１に当接することになるため、それは不可能になり、該ガード部材５を、最上部の梯子として利用して、マンホールＭへの下降進入に安全に利用することができることになる。
【００４４】
作業者がマンホールＭに入った後は、起立状態のガード部材５を引き上げれば、該ガード部材５を逆回転させても、その基部、特にその下部側がブラケット２、２の取付板２ａ、２ａ又は調整リング１の内周に当接することが無くなり、それが可能になる。そこで、該ガード部材５をそのように引き上げた上で、図３(a)に示すように、逆回転倒伏状態にさせ、図１(a)〜(c)及び図５(b)に示すように、その先端の横桟７を前記先端支持部６の両脚部６ｌ、６ｌの屈曲係合部６ｋ、６ｋに嵌合させて支持させる。
【００４５】
この実施例のマンホールの転落防止装置によれば、前記のように、起立状態のガード部材５を引き上げ、前記ヒンジピン４、４を前記主長孔３ｐｈｍ、３ｐｈｍの後端(ガード部材５の起立状態では下端)に位置させた上で、倒伏状態に回動動作させると、該ガード部材５はその自重により下降し、該ヒンジピン４、４は自ずと前記副孔３ｐｈｓ、３ｐｈｓの最上部に位置することとなる。その結果、該ガード部材５は、更にその先端側が下降する回動を継続しようとすると、その基部後端の下部側が前記ブラケット２、２の取付板２ａ、２ａ又は調整リング１の内周に当接し、それ以上の回動が阻止されることになる。前記のように、該ガード部材５はその先端側の横桟７が前記先端支持部６の屈曲係合部６ｋ、６ｋで嵌合保持されることになるが、後端でも、以上のようにして、それ以上に先端側が下降する回動が阻止されることになる。
【００４６】
こうして該ガード部材５により更にその上方から種々の物品や人が転落するのを防止することができることになる。これによってマンホールＭの外部周囲の安全及びマンホールＭ内の作業者の安全を確保することができる。
【００４７】
作業終了後は、再度、前記先端支持部６の両脚部６ｌ、６ｌの屈曲係合部６ｋ、６ｋから最先端の横桟７を外した上で前記ガード部材５を回動起立させれば、マンホールＭ内の作業者は、マンホールＭの内壁に配したステップｓ、ｓ…及び該ガード部材５の横桟７、７…を利用して安全に該マンホールＭから外部に出ることができる。
【００４８】
またこの実施例のマンホールの転落防止装置によれば、以上のように、これをマンホールＭの最上部の調整リング１に取り付けたものであるため、前記従来のこの種の装置のように、鉄蓋用の受枠に取り付けた場合と同様の優れた転落防止効果及びマンホールＭへの作業者の出入りの際の梯子としての有用性を確保することが可能であり、同時に、その全部又は一部に損傷が生じた場合には、既存の例のように鉄蓋用の受枠と共に交換する場合に比較して、調整リング１と共に交換するものであり、遙かに経済的な交換を行うことが可能である。
【００４９】
またこの実施例のマンホールの転落防止装置によれば、前記ガード部材５を倒伏状態にした場合には、前記補助ガード部材８、８を、その両脚部８ｌ、８ｌを前記副孔３ｇｈｓ、３ｇｈｓに挿入係止状態にすることにより、平面視で、マンホールＭの両側中央に位置させ、該ガード部材５と相まってより効果的な転落防止効果を得ることができるようにすることができる。またガード部材５を起立させた場合には、補助ガード部材８、８の両脚部８ｌ、８ｌについて、前記補助ガード部材用長孔３ｇｈ、３ｇｈの主孔３ｇｈｍ、３ｇｈｍ中を動かして、該補助ガード部材８、８を適切な位置に動かして使用することができる。
【００５０】
更にこの実施例のマンホールの転落防止装置によれば、倒伏状態にあるガード部材５はその最先端の横桟７が先端支持部６のＵ字状部材の両脚部６ｌ、６ｌに構成した部分円弧状の屈曲係合部６ｋ、６ｋに嵌合状態になっている。それ故、台風や大雨等の悪天候で、いずれかから浸入した高圧力の大量の水がマンホールＭから噴出し、最上部の鉄蓋が外れてしまうような場合にも、これが容易に脱落して起立状態になるようなことがない。従って人や物のマンホールＭ中への転落を継続的かつ確実に防止することができる。
【００５１】
加えてこの実施例のマンホールの転落防止装置によれば、前記ガード部材５を構成する側板３、３、横桟７、７…及び補助ガード部材８、８に樹脂被膜を施したので、この上に人や物品が落下した場合に、それらの人や物品に損傷を生じ難くすることができる。
【符号の説明】
【００５２】
１    調整リング
２    ブラケット
２ａ  取付板
２ａｈ  ビス孔
２ｂ  連結板
２ｂｈ  ピン孔
３    側板
３ｇｈ  補助ガード部材用長孔
３ｇｈｍ  主孔
３ｇｈｓ  副孔
３ｐｈ  ピン用長孔
３ｐｈｍ  主長孔
３ｐｈｓ  副孔
４    ヒンジピン
５    ガード部材
６    先端支持部
６ｋ  屈曲係合部
６ｌ  脚部
６ｒ  横棒部
７    横桟
８    補助ガード部材
８ｋ  鍔状係止部
８ｌ  脚部
ｂ    コンクリートビス
Ｍ    マンホール
ｓ    ステップ
【図１】
0003180166.tif 000003
【図２】
0003180166.tif 000004
【図３】
0003180166.tif 000005
【図４】
0003180166.tif 000006
【図５】
0003180166.tif 000007